【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】
記録されたデジタルデータ列を再生する再生装置であって、
前記記録されたデジタルデータ列により表わされる画像に実時間的な情報に係る属性を有するオブジェクトが含まれるか否かを判定する判定手段と、
前記判定手段により前記実時間的な情報に係る属性を有するオブジェクトが含まれると判定されると、当該オブジェクトの再生形態を変化させて再生する再生手段と、
を有することを特徴とする再生装置。
【請求項２】
前記実時間的な情報に係る属性は、前記デジタルデータ列の記録時において意味のある実時間的な情報を有するオブジェクトに対して設定されることを特徴とする請求項１に記載の再生装置。
【請求項３】
前記実時間的な情報を有するオブジェクトは、時刻情報の表示画像であることを特徴とする請求項２に記載の再生装置。
【請求項４】
前記実時間的な情報を有するオブジェクトは、天気情報の表示画像であることを特徴とする請求項２に記載の再生装置。
【請求項５】
前記判定手段は、前記デジタルデータ列に多重化された、各オブジェクトの詳細を示すオブジェクト情報に基づいて前記判定を行うことを特徴とする請求項１乃至４のいずれか１項に記載の再生装置。
【請求項６】
前記再生手段は、前記実時間的な情報に係る属性を有するオブジェクトの再生時に、当該オブジェクトを非表示にすることを特徴とする請求項１乃至５のいずれか１項に記載の再生装置。
【請求項７】
前記再生手段は、前記実時間的な情報に係る属性を有するオブジェクトの再生時に、当該オブジェクトを現在の情報に基づくオブジェクトに置き換えることを特徴とする請求項１乃至５のいずれか１項に記載の再生装置。
【請求項８】
現時刻を計時する計時手段を更に有し、
前記再生手段は、前記実時間的な情報に係る属性を有するオブジェクトの再生時に、当該オブジェクトを前記計時手段による計時に基づいて生成されるキャラクタに置き換えることを特徴とする請求項１乃至５のいずれか１項に記載の再生装置。
【請求項９】
再生装置により再生されたデジタルデータを入力して、当該デジタルデータにより表わされる画像を表示する表示装置であって、
前記デジタルデータにより表わされる画像に実時間的な情報に係る属性を有するオブジェクトが含まれるか否かを判定する判定手段と、
前記判定手段により前記実時間的な情報に係る属性を有するオブジェクトが含まれると判定されると、当該オブジェクトの表示形態を変化させて表示させる表示制御手段と、
を有することを特徴とする表示装置。
【請求項１０】
複数の画像データが多重化された状態で記録されたデジタルデータ列を再生する再生装置であって、
前記デジタルデータ列に実時間的な情報に係る画像データが含まれるか否かを判定する判定手段と、
前記デジタルデータ列から各画像データを分離する分離手段と、
前記判定手段により前記実時間的な情報に係る画像データが含まれると判定されると、前記分離手段により分離された各画像データのうち、前記実時間的な情報に係る画像データにより表わされる画像の再生形態を変化させて再生する再生手段と、
を有することを特徴とする再生装置。
【請求項１１】
再生装置から複数の画像データが多重化されたデジタルデータを入力して、当該デジタルデータにより表わされる画像を表示する表示装置であって、
前記デジタルデータに実時間的な情報に係る画像データが含まれるか否かを判定する判定手段と、
前記デジタルデータから各画像データを分離する分離手段と、
前記判定手段により前記実時間的な情報に係る画像データが含まれると判定されると、前記分離手段により分離された各画像データのうち、前記実時間的な情報に係る画像データにより表わされる画像の表示形態を変化して表示させる表示制御手段と、
を有することを特徴とする表示装置。
【請求項１２】
記録されたデジタルデータ列を再生する再生方法であって、
前記記録されたデジタルデータ列により表わされる画像に実時間的な情報に係る属性を有するオブジェクトが含まれるか否かを判定する判定工程と、
前記判定工程で前記実時間的な情報に係る属性を有するオブジェクトが含まれると判定されると、当該オブジェクトの再生形態を変化させて再生する再生工程と、
を有することを特徴とする再生方法。
【請求項１３】
複数の画像データが多重化された状態で記録されたデジタルデータ列を再生する再生方法であって、
前記デジタルデータ列に実時間的な情報に係る画像データが含まれるか否かを判定する判定工程と、
前記デジタルデータ列から各画像データを分離する分離工程と、
前記判定工程で前記実時間的な情報に係る画像データが含まれると判定されると、前記分離された各画像データのうち、前記実時間的な情報に係る画像データにより表わされる画像の再生形態を変化させて再生する再生工程と、
を有することを特徴とする再生方法。
【請求項１４】
記録されたデジタルデータ列の再生をコンピュータに実行させるためのプログラムであって、
前記記録されたデジタルデータ列により表わされる画像に実時間的な情報に係る属性を有するオブジェクトが含まれるか否かを判定する判定工程と、
前記判定工程で前記実時間的な情報に係る属性を有するオブジェクトが含まれると判定されると、当該オブジェクトの再生形態を変化させて再生する再生工程と、
をコンピュータに実行させることを特徴とするプログラム。
【請求項１５】
複数の画像データが多重化された状態で記録されたデジタルデータ列の再生をコンピュータに実行させるためのプログラムであって、
前記デジタルデータ列に実時間的な情報に係る画像データが含まれるか否かを判定する判定工程と、
前記デジタルデータ列から各画像データを分離する分離工程と、
前記判定工程で前記実時間的な情報に係る画像データが含まれると判定されると、前記分離された各画像データのうち、前記実時間的な情報に係る画像データにより表わされる画像の再生形態を変化させて再生する再生工程と、
をコンピュータに実行させることを特徴とするプログラム。
【請求項１６】
請求項１４又は１５に記載のプログラムを記憶したことを特徴とするコンピュータ読み取り可能な記憶媒体。
【手続補正２】
【補正対象書類名】明細書
【補正対象項目名】００１０
【補正方法】変更
【補正の内容】
【００１０】
【課題を解決するための手段】
上記目的を達成するために本発明の再生装置は以下のような構成を備える。即ち、
記録されたデジタルデータ列を再生する再生装置であって、
前記記録されたデジタルデータ列により表わされる画像に実時間的な情報に係る属性を有するオブジェクトが含まれるか否かを判定する判定手段と、
前記判定手段により前記実時間的な情報に係る属性を有するオブジェクトが含まれると判定されると、当該オブジェクトの再生形態を変化させて再生する再生手段と、を有することを特徴とする。
【手続補正３】
【補正対象書類名】明細書
【補正対象項目名】００１１
【補正方法】変更
【補正の内容】
【００１１】
上記目的を達成するために本発明の表示装置は以下のような構成を備える。即ち、
再生装置により再生されたデジタルデータを入力して、当該デジタルデータにより表わされる画像を表示する表示装置であって、
前記デジタルデータにより表わされる画像に実時間的な情報に係る属性を有するオブジェクトが含まれるか否かを判定する判定手段と、
前記判定手段により前記実時間的な情報に係る属性を有するオブジェクトが含まれると判定されると、当該オブジェクトの表示形態を変化させて表示させる表示制御手段と、
を有することを特徴とする。
【手続補正４】
【補正対象書類名】明細書
【補正対象項目名】００１２
【補正方法】変更
【補正の内容】
【００１２】
上記目的を達成するために本発明の再生方法は以下のような工程を備える。即ち、
記録されたデジタルデータ列を再生する再生方法であって、
前記記録されたデジタルデータ列により表わされる画像に実時間的な情報に係る属性を有するオブジェクトが含まれるか否かを判定する判定工程と、
前記判定工程で前記実時間的な情報に係る属性を有するオブジェクトが含まれると判定されると、当該オブジェクトの再生形態を変化させて再生する再生工程と、を有することを特徴とする。